(57)【要約】所望の特定方向に明るく効率よく均一に照明可能で商品の見栄えを悪くしない効果的な照明が可能で、複数の棚板を備える多段式のショーケースに用いるのに好適な棚板用の照明装置を得るために、所定方向に所定角度拡散した光を射出する構成の照明装置（１Ａ〜１Ｇ）とし、点状光源（２）から射出部に至る導光経路を、空気層を挟んで対向する第一反射面（１１）、第二反射面（１２）から構成し、点状光源（２）の隣り合う光源からの光束が互いにキャップ部材（３ＡＡ〜３ＨＡ）の射出面の位置で重なり合う構成の棚板照明装置（１ＡＡ〜１ＨＡ）とし、棚板（５）にこの棚板照明装置を取り付けて一体化した棚板ユニット（５０、５０Ａ）とし、この棚板ユニットを複数段備えるショーケース（ＳＣ）とした。
2012128088.tif 000002
【特許請求の範囲】
【請求項１】
所定の間隔で配置される複数の点状光源を有し、前記点状光源から出射する光を導光経路を介して射出部まで導光し、当該射出部から照明光として射出する照明装置であって、
前記導光経路は、対向して配設される第一反射面と第二反射面とから形成され、前記点状光源の配置ピッチに応じた所定の光路長離れた所定の部位に異方性拡散部を備え、隣り合う前記点状光源から出射する光の所定強度部分の光束が重なった後で、所定方向に所定角度拡散した光を射出することを特徴とする照明装置。
【請求項２】
前記射出部は、透光性部材から形成される射出面であることを特徴とする請求項１に記載の照明装置。
【請求項３】
前記異方性拡散部は、前記点状光源が配置される長手方向により大きな拡散特性を有することを特徴とする請求項１または２に記載の照明装置。
【請求項４】
前記点状光源の隣り合う光源からの強度３０％以上の光が重なるように、前記点状光源から前記異方性拡散部までの光路長が設定されていることを特徴とする請求項１から３のいずれかに記載の照明装置。
【請求項５】
前記点状光源から前記異方性拡散部に至る最短の光路長をＬ１とし、前記点状光源の配置ピッチをＰとし、前記点状光源の指向角半値幅をθ１としたときに、
Ｌ１＞Ｐ／２ｔａｎθ１（式１）
を満たすことを特徴とする請求項１から４のいずれかに記載の照明装置。
【請求項６】
前記射出面に前記異方性拡散部を設けたことを特徴とする請求項２から５のいずれかに記載の照明装置。
【請求項７】
前記第二反射面を、前記点状光源が出射する光を前記射出部に向けて反射する側の反射面とし、当該第二反射面に前記異方性拡散部を設けたことを特徴とする請求項１から６のいずれかに記載の照明装置。
【請求項８】
前記第二反射面の、前記射出部に対向した部位に前記異方性拡散部を設けたことを特徴とする請求項１から７のいずれかに記載の照明装置。
【請求項９】
前記異方性拡散部に至る最短の光路長Ｌ１を前記点状光源の配置ピッチＰ程度としたことを特徴とする請求項５から８のいずれかに記載の照明装置。
【請求項１０】
前記第二反射面は、該反射面で反射した光束を前記点状光源から前記射出部に直接導光される光束に重ね合わせるように設置されることを特徴とする請求項１から９のいずれかに記載の照明装置。
【請求項１１】
前記導光経路は、前記点状光源からの光を異なる二方向に分岐して導光する第一導光経路と第二導光経路を有し、それぞれの導光経路に、前記第一、第二反射面、および、前記射出部を設けたことを特徴とする請求項１から１０のいずれかに記載の照明装置。
【請求項１２】
前記導光経路を屈折率が１より大きな導光素子で構成し、この導光素子に前記点状光源が出射する光を入射する入射面と、光束を射出する射出面と、前記入射面に入射した光束を前記射出面まで導光する相対向した反射面と、を設け、前記射出面もしくは前記反射面の少なくとも一方に前記異方性拡散部を設けたことを特徴とする請求項１１に記載の照明装置。
【請求項１３】
前記点状光源を所定間隔で複数並設する長手方向に沿って長寸の前記反射面と前記射出面を有し、物品を陳列する棚板の前端部に沿って設置すると共に、前記射出面を前記棚板上に陳列する商品に向けて傾斜させていることを特徴とする請求項１２に記載の照明装置。
【請求項１４】
前記棚板を複数段備えるショーケースのそれぞれの棚板に装着し、棚板の上下を同時に照明することを特徴とする請求項１３に記載の照明装置。
【請求項１５】
棚板を備えるショーケースに用いる棚板照明装置であって、
前記棚板の長手方向に間隔をおいて配設する複数の点状光源と、該光源から出射する光を前記長手方向と直交する方向に導光する導光経路と、導光された光を所定方向に射出する射出部と、を備える照明光学系を有し、
前記導光経路を、空気層を挟んで対向する第一、第二反射面から構成し、前記射出部を、入射面と射出面を有するキャップ部材から構成し、
前記点状光源の隣り合う光源からの光束が互いに前記射出面の位置で重なり合うことを特徴とする棚板照明装置。
【請求項１６】
前記点状光源から前記入射面に至る最短の光路長をＬ１とし、前記点状光源の配置ピッチをＰとし、前記点状光源の指向角半値幅をθ１としたときに、
Ｌ１＞Ｐ／２ｔａｎθ１（式１）
を満たすことを特徴とする請求項１５記載の棚板照明装置。
【請求項１７】
前記導光経路を介して導光される方向と、前記射出面の垂線とのなす角θ２をブリュースタ角よりも大きな角度としたことを特徴とする請求項１５または１６に記載の棚板照明装置。
【請求項１８】
前記導光経路を介して導光される方向と、前記入射面の垂線とのなす角θ３を、前記角θ２よりも大きな角度としたことを特徴とする請求項１７に記載の棚板照明装置。
【請求項１９】
前記導光経路を介して導光される方向と、前記入射面の垂線とのなす角θ３を、前記角θ２よりも小さな角度とし、前記キャップ部材は、前記入射面と前記射出面に加えて第三の面を有し、前記入射面から入射した光が前記射出面で全反射して前記第三の面に向かい、該第三の面側に設ける反射部で反射した後で、前記射出面から射出することを特徴とする請求項１７に記載の棚板照明装置。
【請求項２０】
前記射出面に所定の拡散特性を有する拡散部を設けたことを特徴とする請求項１５から１９のいずれかに記載の棚板照明装置。
【請求項２１】
前記入射面に所定の拡散特性を有する拡散部を設けたことを特徴とする請求項１５から１９のいずれかに記載の棚板照明装置。
【請求項２２】
棚板から遠い側の第二反射面に所定の拡散特性を有する拡散部を設けたことを特徴とする請求項１５から１９のいずれかに記載の棚板照明装置。
【請求項２３】
前記第三の面に所定の拡散特性を有する拡散部を設けたことを特徴とする請求項１９に記載の棚板照明装置。
【請求項２４】
前記拡散特性は、前記点状光源配列方向の拡散度が、前記点状光源配列方向と直交する方向の拡散度に比べて大きいことを特徴とする請求項２０から２３のいずれかに記載の棚板照明装置。
【請求項２５】
前記拡散特性は、前記点状光源配列方向に、所定角度範囲の拡散度を有することを特徴とする請求項２０から２３のいずれかに記載の棚板照明装置。
【請求項２６】
前記導光経路は、前記点状光源からの光を異なる二方向に分岐して導光する第一導光経路と第二導光経路を有し、それぞれの導光経路に、前記第一、第二反射面、および、前記キャップ部材を共に設け、それぞれのキャップ部材が有する前記入射面に至る最短光路長が前記Ｌ１であることを特徴とする請求項１５から２５のいずれかに記載の棚板照明装置。
【請求項２７】
前記導光経路は、前記点状光源からの光を異なる二方向に分岐して導光する第一導光経路と第二導光経路を有し、それぞれの導光経路に、前記第一、第二反射面を設け、いずれか一方の導光経路に前記キャップ部材を設け、他方の導光経路に当該導光経路に直交する射出面を有する第二のキャップ部材を設け、それぞれのキャップ部材が有する前記入射面に至る最短光路長が前記Ｌ１であることを特徴とする請求項１５から２５のいずれかに記載の棚板照明装置。
【請求項２８】
前記点状光源を前記導光経路に直交する位置に設け、前記点状光源からの光を前記第一、第二導光経路に分岐する光束分岐部を設けたことを特徴とする請求項２６または２７に記載の棚板照明装置。
【請求項２９】
前記点状光源からの光を前記分岐部に導く入射導光経路を設け、該入射導光経路の前記点状光源を挟む両側にそれぞれ第三、第四反射面を設けたことを特徴とする請求項２８に記載の棚板照明装置。
【請求項３０】
前記点状光源はＬＥＤ光源からなることを特徴とする請求項１５から２９のいずれかに記載の棚板照明装置。
【請求項３１】
請求項１５から３０のいずれかに記載した棚板照明装置を先端部に設けたことを特徴とする棚板ユニット。
【請求項３２】
請求項３１に記載された棚板ユニットを複数段備えたことを特徴とするショーケース。
【発明の詳細な説明】
【技術分野】
【０００１】
本発明は、照明装置、棚板照明装置およびこの棚板照明装置を備えたショーケースに関し、例えば、ショーケース等に配設され、ショーケースに陳列される商品の照明に好適な照明装置、および、棚板の先端にプライスレールを備えるショーケース等に配設され、棚板上に陳列される商品の照明に好適な棚板照明装置、この棚板照明装置を備えた棚板ユニットおよびショーケースに関する。
【背景技術】
【０００２】
従来から、ショーケースに配設され、ショーケースに陳列された商品を照明するものとして、蛍光灯が広く用いられている。蛍光灯は、一般に電気エネルギーを可視放射、赤外放射、紫外放射に変換し、可視光線を放射することで、照明として用いるものである。その際、熱損失が生じるため、蛍光灯自体のみならず、当該蛍光灯による輻射熱によって、陳列された商品が加熱されるという問題があり、ショーケース用の照明装置の光源としては、必ずしも好ましいものとはいえない。【０００３】
近年、発光効率の向上や発光量の増加と共に、寿命が長く消費電力が小さくて、環境にやさしいとされるＬＥＤ（Light  Emitting  Diode：発光ダイオード）を用いた照明装置が実用化されつつある。また、青色ＬＥＤチップが開発されて以来、この青色ＬＥＤチップと、このＬＥＤチップからの光に励起されて所定波長の励起光を発光する蛍光体と、を組み合わせて白色発光する白色ＬＥＤ光源や、青色ＬＥＤチップと緑色ＬＥＤチップと赤色ＬＥＤチップとの三原色のＬＥＤチップを用いて白色光を合成する白色ＬＥＤ光源が開発されている。【０００４】
そのために、照明装置として、この白色ＬＥＤ光源を配設したＬＥＤ照明装置が用いられている。特に、ショーケースなどの陳列棚の照明装置として、消費電力が小さく、発熱も小さいＬＥＤ光源を用いることが模索されており、例えば、棚板先端に配置し、棚上に陳列された商品を照明するＬＥＤ照明を設けたショーケースが既に提案されている（例えば、特許文献１参照）。【０００５】
この特許文献１に記載されたショーケースは、商品の落下を防止するために設置するガードを透光性の板材から構成し、ＬＥＤ照明装置からの光をガード上端部から棚上の商品に向けて照射している。【０００６】
また、陳列棚の先端に設けられたプライスレール内にＬＥＤ光源を配設して、光源の手前側に設けた反射板を介して棚の上下を照射するとしたショーケースが既に提案されている（例えば、特許文献２参照）。
【先行技術文献】
【特許文献】
【０００７】
【特許文献１】特開２０１０−８２１１５号公報
【特許文献２】特開２０１０−７８２５１号公報
【発明の概要】
【発明が解決しようとする課題】
【０００８】
棚板用の照明装置は、商品上で照度ムラのない均一な照明が望まれる。点状光源であるＬＥＤを光源として用いる場合、均一な照明を実現するためには、ＬＥＤの配置ピッチと指向角（配光角）に応じて、光学光路長を確保し、照明装置の射出面における照度が均一化されることが望ましい。【０００９】
しかし、特許文献１に記載されたショーケースのように、透光性の板材からなる導光体を用いる場合、光路は媒質で満たされており、光源の近傍に屈折面となる平面を配置することになるため、入射面が平面の場合、入射面での屈折により、媒質中では配光角が見かけ上小さくなり、ＬＥＤ配列方向における輝度を均一にするためには、光路を中空とする場合と比較して長く確保しなければならない。【００１０】
そのために、棚板先端に配設され、棚板の上下方向に導光経路を有する照明装置を用いる場合は、この導光光路、すなわち、照明装置の上下幅を広くしなければならない。このように、棚板先端に上下幅の広い照明装置を配設すると、棚上に陳列された商品の下部が隠され、商品購入者が商品を観察するときの妨げとなって好ましくない。【００１１】
また、棚板に陳列する商品のサイズに応じて、適当な範囲を効果的に照明できるように配光制御が容易な棚板照明装置が好ましいので、コンパクト化が可能であると共に、所定範囲を効果的に照明可能な棚板照明装置が望ましい。【００１２】
すなわち、特許文献１に記載されたショーケースでは、ガードを透光性の板材製として、このガードを通してＬＥＤ光源から出射する光を棚上の商品に向けて照射しているので、射出光が大きく散乱してしまい暗くなってしまい、均一に効率よく照明することができない問題が生じる。また、拡散性が弱い反射し易い表面を有している商品を照明すると点状光源の光源が写り込んで観察者が眩しくなる問題や、商品の見栄えを悪くする問題が生じる。【００１３】
また、特許文献２に記載されたショーケースのように、一つのＬＥＤ光源で棚の上下を同時に照明する構成では、少ない光源数で効率よく照明できるため、ある程度の照度を確保しながら光源の部品点数を抑えることができコスト削減図ることができる。しかし、棚の手前側に設置した反射板からの反射光により、商品の照明を行っているため、光源から射出された光の向きを変えて商品を照明しているのみであり、積極的に照明光の指向性制御や配光制御を行うことができない。【００１４】
従って、牛乳パックや飲料ボトルなど背の高い商品を棚に陳列した際には、上側からの照明光も下側からの照明光も、綺麗な商標やロゴが印刷された商品の中程当りに届き難くなり、消費者の視覚に訴えて購買意欲を喚起させる効果が小さくなる虞が生じる。【００１５】
また、低コスト化と意匠性を向上させるためには、点状光源から出射する光を所定範囲に拡散し所望の方向に効率よく導光可能なコンパクトな構成の照明装置を用いることが好ましい。【００１６】
本発明は、上記の事情に鑑みてなされたものであって、複数の点状光源からの光を配光制御して所望の特定方向に明るく効率よく均一に照明可能で、且つ、光源が均一で商品に写り込んでも眩しくなく、商品の見栄えを悪くしない効果的な照明が可能な照明装置を提供し、棚板を備えるショーケースに用いる棚板照明装置において、コンパクト化が可能で所定範囲を効果的に照明可能な棚板照明装置を提供することを目的とする。
【課題を解決するための手段】
【００１７】
上記目的を達成するために本発明は、所定の間隔で配置される複数の点状光源を有し、前記点状光源から出射する光を導光経路を介して射出部まで導光し、当該射出部から照明光として射出する照明装置であって、前記導光経路は、対向して配設される第一反射面と第二反射面とから形成され、前記点状光源の配置ピッチに応じた所定の光路長離れた所定の部位に異方性拡散部を備え、隣り合う前記点状光源から出射する光の所定強度部分の光束が重なった後で、所定方向に所定角度拡散した光を射出することを特徴としている。【００１８】
上記の構成によると、隣り合う点状光源同士の光束が重なった後、さらに、所定方向に拡散して射出するので、均一な照明光として射出することができる。そのために、点状光源の光を配光制御して所望の特定方向に明るく効率よく均一に照明可能で、且つ、光源が均一で商品に写り込んでも眩しくなく、商品の見栄えを悪くしない効果的な照明が可能な照明装置を得ることができる。【００１９】
また本発明は上記構成の照明装置において、前記射出部は、透光性部材から形成される射出面であることを特徴としている。この構成によると、点状光源から射出部に至る導光経路を、第一反射面と第二反射面と射出面で封止することができる。【００２０】
また本発明は上記構成の照明装置において、前記異方性拡散部は、前記点状光源が配置される長手方向により大きな拡散特性を有することを特徴としている。この構成によると、所定間隔で離散配置される複数の点状光源が出射する光を重ねて効率よく分散することで、離散的に配置された点状光源から均一な照明光を射出することができる。【００２１】
また本発明は上記構成の照明装置において、前記点状光源の隣り合う光源からの強度３０％以上の光が重なるように、前記点状光源から前記異方性拡散部までの光路長が設定されていることを特徴としている。この構成によると、拡散部上で隣り合う点状光源からの光束が重なるので、射出面での輝度ムラを抑制した光源とすることができる。【００２２】
また本発明は上記構成の照明装置において、前記点状光源から前記異方性拡散部に至る最短の光路長をＬ１とし、前記点状光源の配置ピッチをＰとし、前記点状光源の指向角半値幅をθ１としたときに、Ｌ１＞Ｐ／２ｔａｎθ１（式１）を満たすことを特徴としている。この構成によると、この条件式を満たす最短光路を確保することで、隣り合う点状光源からの強度１／２の光が重なり混ざり合った光となって、射出面での輝度ムラを抑制して略一定の輝度にすることができる。【００２３】
また本発明は上記構成の照明装置において、前記射出面に前記異方性拡散部を設けたことを特徴としている。この構成によると、光源から最も離れた面に拡散部を設けることで、光源から拡散部に至る光路長を最大に確保でき、より小型で均一な照明が可能となる照明装置を実現することができる。【００２４】
また本発明は上記構成の照明装置において、前記第二反射面を、前記点状光源が出射する光を前記射出部に向けて反射する側の反射面とし、当該第二反射面に前記異方性拡散部を設けたことを特徴としている。この構成によると、射出部に向けて光束を導光する反射面に拡散部を設けるので、所定の角度範囲に拡散しながら射出部に導光でき、射出部に拡散部を設けなくても、均一な照明が可能となる照明装置を実現することができる。【００２５】
また本発明は上記構成の照明装置において、前記第二反射面の、前記射出部に対向した部位に前記異方性拡散部を設けたことを特徴としている。この構成によると、繰り返し拡散して反射しないので、発散角をむやみに大きくせず、複数の点状光源の輝度ムラを軽減して均一な照明が可能となる。【００２６】
また本発明は上記構成の照明装置において、前記異方性拡散部に至る最短の光路長Ｌ１を前記点状光源の配置ピッチＰ程度としたことを特徴としている。この構成によると、点状光源の配置ピッチと同程度の距離に拡散部を配設するので、照明装置をむやみに大きくすることなく、十分小型でありながら拡散効果を発揮することができる。【００２７】
また本発明は上記構成の照明装置において、前記第二反射面は、該反射面で反射した光束を前記点状光源から前記射出部に直接導光される光束に重ね合わせるように設置されることを特徴としている。この構成によると、特定方向を高強度に照明可能な照明装置を得ることができる。【００２８】
また本発明は上記構成の照明装置において、前記導光経路は、前記点状光源からの光を異なる二方向に分岐して導光する第一導光経路と第二導光経路を有し、それぞれの導光経路に、前記第一、第二反射面、および、前記射出面を設けたことを特徴としている。この構成によると、異なる二方向（例えば、棚板の上下）を同時に均一に照明可能な照明装置を得ることができる。【００２９】
また本発明は上記構成の照明装置において、前記導光経路を屈折率が１より大きな導光素子で構成し、この導光素子に前記点状光源が出射する光を入射する入射面と、光束を射出する射出面と、前記入射面に入射した光束を前記射出面まで導光する相対向した反射面と、を設け、前記射出面もしくは前記反射面の少なくとも一方に前記異方性拡散部を設けたことを特徴としている。この構成によると、導光素子で導光経路を形成するので、中空で空気層を用いて導光経路を形成するのと比較して、導光経路が長くなるので、光源から離れた部位を照明でき、上下の幅の大きな棚板用の照明装置として好適となる。【００３０】
また本発明は上記構成の照明装置において、前記点状光源を所定間隔で複数並設する長手方向に沿って長寸の前記反射面と前記射出面を有し、物品を陳列する棚板の前端部に沿って設置すると共に、前記射出面を前記棚板上に陳列する商品に向けて傾斜させていることを特徴としている。この構成によると、棚板上に陳列した商品を効率よく均一に照明可能で、観察者が商品を観察容易な照明装置となる。【００３１】
また本発明は上記構成の照明装置において、前記棚板を複数段備えるショーケースのそれぞれの棚板に装着し、棚板の上下を同時に照明することを特徴としている。この構成によると、例えば、棚板の上下を同時に照明することができ、ショーケースに陳列する商品を効率よく均一に照明可能な照明装置となる。【００３２】
また本発明は、棚板を備えるショーケースに用いる棚板照明装置であって、前記棚板の長手方向に間隔をおいて配設する複数の点状光源と、該光源から出射する光を前記長手方向と直交する方向に導光する導光経路と、導光された光を所定方向に射出する射出部と、を備える照明光学系を有し、前記導光経路を、空気層を挟んで対向する第一、第二反射面から構成し、前記射出部を、入射面と射出面を有するキャップ部材から構成し、前記点状光源の隣り合う光源からの光束が互いに前記射出面の位置で重なり合うことを特徴としている。【００３３】
上記の構成によると、隣り合う点状光源からの光束が、キャップ部材の射出面の位置で棚板の長手方向に対して、互いに重なり合うために、長手方向に対して均一な照明が可能となる。また空気層を導光経路としているので、短い光路長で点状光源からの光が混ざり合い、混ざり合った光はキャップ部材から所定方向に射出される。そのために、コンパクト化が可能で所定範囲を効果的に照明可能な棚板照明装置を得ることができる。【００３４】
また本発明は上記構成の棚板照明装置において、前記点状光源から前記入射面に至る最短の光路長をＬ１とし、前記点状光源の配置ピッチをＰとし、前記点状光源の指向角半値幅をθ１としたときに、
Ｌ１＞Ｐ／２ｔａｎθ１（式１）
を満たすことを特徴としている。この構成によると、点状光源から射出部に至る光路長が、配置ピッチＰで配設される点状光源から出射する光の強度が１／２となる指向角半値幅に応じた長さ以上とされるので、隣り合う点状光源からの強度１／２となる光が重なり混ざり合った光となり、光の強度が略同一レベルとなる照明光を射出することができる。【００３５】
また本発明は上記構成の棚板照明装置において、前記導光経路を介して導光される方向と、前記射出面の垂線とのなす角θ２をブリュースタ角よりも大きな角度としたことを特徴としている。この構成によると、キャップ部材を、ブリュースタ角以上の角度で傾けることにより、対向する第一、第二反射面のうち、観察者側の反射面高さが、商品側反射面高さより高くして、観察者側の反射面に当ってキャップ部材より射出される光は商品側に向けて射出される。また、商品側反射面に当った光束、および、反射面に当らず直接キャップ部材に入射した光は、射出面にブリュースタ角よりも大きな角度で入射することになるので、フレネル反射により棚側に射出する照明光を、観察者側に射出する照明光と比較して大きくすることができ、商品を効率的に照明できるだけでなく、観察者が商品を観察するときの眩しさを低減することができる。【００３６】
また本発明は上記構成の棚板照明装置において、前記導光経路を介して導光される方向と、前記入射面の垂線とのなす角θ３を、前記角θ２よりも大きな角度としたことを特徴としている。この構成によると、キャップ部材を、入射面の角度と射出面の角度が異なる楔形状として、導光される光の配光中心を商品側の上方（棚からの高さが高い位置）に向けることができ、棚上の商品の前面を広範囲に照明することができる。【００３７】
また本発明は上記構成の棚板照明装置において、前記導光経路を介して導光される方向と、前記入射面の垂線とのなす角θ３を、前記角θ２よりも小さな角度とし、前記キャップ部材は、前記入射面と前記射出面に加えて第三の面を有し、前記入射面から入射した光が前記射出面で全反射して前記第三の面に向かい、該第三の面側に設ける反射部で反射した後で、前記射出面から射出することを特徴としている。この構成によると、入射面と射出面と第三の面を有するキャップ部材を用いて、導光される光の配光中心を商品側の低い位置に向けることができ、棚上の背の低い商品を効率的に照明することができる。【００３８】
また本発明は上記構成の棚板照明装置において、前記射出面に所定の拡散特性を有する拡散部を設けたことを特徴としている。この構成によると、光源から最も離れた面に拡散部を設けることで、光源から拡散部に至る光路長を最大に確保でき、離散的に配設された点状光源を用いても、小型でありながら、輝度の均一な照明装置を実現することができる。【００３９】
また本発明は上記構成の棚板照明装置において、前記入射面に所定の拡散特性を有する拡散部を設けたことを特徴としている。この構成によると、外面である射出面は平面とし、入射面を拡散面化して拡散部を設けることで、外面は平面で汚れが付き難く掃除も容易となる。また、射出面近傍に配置される入射面に拡散部を設けることで、離散的に配設された点状光源を用いても、小型でありながら、輝度の均一な照明装置を実現することができる。【００４０】
また本発明は上記構成の棚板照明装置において、棚板から遠い側の第二反射面に所定の拡散特性を有する拡散部を設けたことを特徴としている。この構成によると、第二反射面を介して導光しながら拡散することで、点状光源の配列方向の輝度ムラさせた後、キャップ部材の各面における屈折などにより配光制御し、点状光源の配列方向の輝度が均一で、商品を効率的に照明可能な照明装置を実現することができる。【００４１】
また本発明は上記構成の棚板照明装置において、前記第三の面に所定の拡散特性を有する拡散部を設けたことを特徴としている。この構成によると、入射面と射出面を平面とすることで、照明光を効率的に第三の面まで導いた後、輝度が均一な照明光として、配光制御できる照明装置を実現することができる。【００４２】
また本発明は上記構成の棚板照明装置において、前記拡散特性は、前記点状光源配列方向の拡散度が、前記点状光源配列方向と直交する方向の拡散度に比べて大きいことを特徴としている。この構成によると、複数の点状光源を配設した方向に大きく拡散し、離散的に配設された点状光源を用いても、離散的な配置に起因する輝度ムラを低減して輝度の均一な照明装置を実現することができる。【００４３】
また本発明は上記構成の棚板照明装置において、前記拡散特性は、前記点状光源配列方向に、所定角度範囲の拡散度を有することを特徴としている。この構成によると、点状光源配列方向と直交する方向に対する配光制御の効果を維持した状態で、複数の点状光源を配設した方向に大きく拡散し、離散的に配設された点状光源を用いても、離散的な配置に起因する輝度ムラを低減して輝度の均一な照明装置を実現することができる。【００４４】
また本発明は上記構成の棚板照明装置において、前記導光経路は、前記点状光源からの光を異なる二方向に分岐して導光する第一導光経路と第二導光経路を有し、それぞれの導光経路に、前記第一、第二反射面、および、前記キャップ部材を共に設け、それぞれのキャップ部材が有する前記入射面に至る最短光路長が前記Ｌ１であることを特徴としている。この構成によると、例えば、棚板の上面側に陳列された商品の前面を照明する上向き照明と、下の棚板に陳列された商品の上部を照明する下向き照明とを同時に行うと共に、それぞれ、離散的な配置に起因する輝度ムラを低減して輝度の均一な照明装置を実現することができる。【００４５】
また本発明は上記構成の棚板照明装置において、前記導光経路は、前記点状光源からの光を異なる二方向に分岐して導光する第一導光経路と第二導光経路を有し、それぞれの導光経路に、前記第一、第二反射面を設け、いずれか一方の導光経路に前記キャップ部材を設け、他方の導光経路に当該導光経路に直交する射出面を有する第二のキャップ部材を設け、それぞれのキャップ部材が有する前記入射面に至る最短光路長が前記Ｌ１であることを特徴としている。この構成によると、例えば、この棚板照明装置を取り付けた棚板の下向き照明側に第二のキャップ部材を介して、真下に向けて照明光を射出する照明装置を実現することができる。【００４６】
また本発明は上記構成の棚板照明装置において、前記点状光源を前記導光経路に直交する位置に設け、前記点状光源からの光を前記第一、第二導光経路に分岐する光束分岐部を設けたことを特徴としている。この構成によると、光束分岐部を介して、一つの点状光源からの光を第一、第二導光経路に効率よく導光可能となり、例えば、棚板の上下を同時に均一に照明可能な照明装置を実現することができる。【００４７】
また本発明は上記構成の棚板照明装置において、前記点状光源からの光を前記光束分岐部に導く入射導光経路を設け、該入射導光経路の前記点状光源を挟む両側にそれぞれ第三、第四反射面を設けたことを特徴としている。この構成によると、分岐部に至る光路長を取ることで、棚板の上下幅に相当する光学経路の幅を小さくでき、さらに、照明装置のコンパクト化を図ることが可能となる。【００４８】
また本発明は上記構成の棚板照明装置において、前記点状光源はＬＥＤ光源からなることを特徴としている。この構成によると、高照度で、消費電力が小さく、発熱も小さいＬＥＤ光源を用いて、高効率の棚板照明装置を実現することができる。【００４９】
また本発明は、請求項１５から３０のいずれかに記載した棚板照明装置を先端部に設けた棚板ユニットであることを特徴としている。この構成によると、コンパクト化が可能で所定範囲を効果的に照明可能な棚板照明装置を用いることで、棚板上に陳列された商品を効率的に高品位に照明できる照明機能を有する棚板ユニットを得ることができる。【００５０】
また本発明は、請求項３１に記載された棚板ユニットを複数段備えるショーケースであることを特徴としている。この構成によると、棚板の商品を効率的に高品位に照明できる照明機能を有する棚板ユニットを用いることで、少ない点状光源で棚板の商品を効率的に高品位に照明でき、棚板上に陳列された商品を、均一な輝度で照明可能なショーケースを得ることができる。
【発明の効果】
【００５１】
本発明によれば、点状光源の配置ピッチに応じた所定の光路長離れた所定の部位に異方性拡散部を設け、隣り合う点状光源から出射する光の所定強度部分が重なった後で、所定方向に所定角度拡散した光を射出する構成としているので、点状光源の光を配光制御して所望の特定方向に明るく効率よく均一に照明可能で、且つ、光源が均一で商品に写り込んでも眩しくなく、商品の見栄えを悪くしない効果的な照明が可能な照明装置を得ることができる。また、棚板を備えるショーケースに用いる棚板照明装置において、コンパクト化が可能で所定範囲を効果的に照明可能な棚板照明装置を得ることができる。
【図面の簡単な説明】
【００５２】
【図１】本発明に係る第一実施形態の照明装置の概要を示す概略断面図である。
【図２】第一実施形態の照明装置の概略正面図である。
【図３】本発明に係る第二実施形態の照明装置の概要を示す概略断面図である。
【図４】本発明に係る第三実施形態の照明装置の概要を示す概略断面図である。
【図５】本発明に係る第四実施形態の照明装置の概要を示す概略断面図である。
【図６】本発明に係る第五実施形態の照明装置の概要を示す概略断面図である。
【図７】本発明に係る第六実施形態の照明装置の概要を示す概略断面図である。
【図８】本発明に係る第七実施形態の照明装置の概要を示す概略断面図である。
【図９】棚板に本発明に係る照明装置を装着したショーケースの一例を示す概略断面構成図である。
【図１０】第一実施形態の棚板照明装置を示す概略断面図である。
【図１１】図１０の棚板照明装置の光路長と点状光源の配置ピッチと点状光源の指向角半値幅との関係を示す概略説明図である。
【図１２】図１０の棚板照明装置の入射面輝度を説明する図である。
【図１３】図１０の棚板照明装置のキャップ部材における入射角度と反射率の関係を示す図である。
【図１４】図１０の棚板照明装置が照射する照明光の輝度分布を示す図である。
【図１５】第二実施形態の棚板照明装置を示す概略断面図である。
【図１６】図１５の棚板照明装置が照射する照明光の輝度分布を示す図である。
【図１７】第二実施形態の棚板照明装置の変形例を示す概略断面図である。
【図１８】第三実施形態の棚板照明装置を示す概略断面図である。
【図１９】図１８の棚板照明装置が照射する照明光の輝度分布を示す図である。
【図２０Ａ】第四実施形態の棚板照明装置を示す概略断面図である。
【図２０Ｂ】第五実施形態の棚板照明装置を示す概略断面図である。
【図２０Ｃ】第六実施形態の棚板照明装置を示す概略断面図である。
【図２０Ｄ】第七実施形態の棚板照明装置を示す概略断面図である。
【図２１】棚板の上部を照明する棚板照明装置を備えた棚板ユニットを示す概略断面図である。
【図２２】棚板の上下を同時に照明する棚板照明装置を備えた棚板ユニットを示す概略断面図である。
【図２３】複数段の棚板を有するショーケースの一例を示す側面図である。
【発明を実施するための形態】
【００５３】
以下に本発明の実施形態を図面を参照して説明する。また、同一構成部材については同一の符号を用い、詳細な説明は適宜省略する。
【００５４】
まず、本発明に係る照明装置について図１〜図９を用いて説明する。本発明に係る照明装置は、例えば、棚板に陳列された商品などを照明するためのものであり、棚板の前端の長手方向に沿って、所定の間隔で配置される複数の点状光源を有し、前記点状光源から出射する光を導光経路を介して射出部まで導光し、射出部から射出して所定方向を照明する照明装置である。
【００５５】
また、導光経路は、対向して配設される第一反射面と第二反射面とから形成され、点状光源の配置ピッチに応じた所定の光路長離れた所定の部位に異方性拡散部を備え、隣り合う前記点状光源から出射する光の所定強度部分が重なった後で、所定方向に所定角度拡散した光を射出する構成としている。
【００５６】
上記した構成であれば、隣り合う点状光源同士の光束が重なった後、さらに、所定方向に拡散して射出するので、均一な照明光として射出することができる。そのために、点状光源の光を配光制御して所望の特定方向に明るく効率よく均一に照明可能で、且つ、光源が均一で商品に写り込んでも眩しくなく、商品の見栄えを悪くしない効果的な照明が可能な照明装置を得ることができる。
【００５７】
まず、図１、図２を用いて本発明に係る照明装置の第一実施形態について説明する。図１に示すように、照明装置１Ａは点状光源２と、対向して配設される第一反射面１１と第二反射面１２とで形成される導光経路１０Ａと、射出部３０を備えた構成とされる。この射出部３０は、導光経路１０Ａを導光された光が所定の方向に射出される構成であればよく、開放端でも所定の透光性部材や導光素子を用いてもよい。本実施形態では、透光性部材を配設した。すなわち、射出部３０は、透光性部材から形成される射出面１３である。
【００５８】
また、第一反射面１１と第二反射面１２とで形成される導光経路１０Ａは、点状光源２から図示する上方に向かう方向とされ、射出面１３から、少し傾いた（例えば、商品方向に傾いた）特定方向（図中の矢印Ａ方向）に高強度に射出される。
【００５９】
点状光源２は、例えば、基板２１（図８参照）にＬＥＤを搭載したチップ型のＬＥＤ光源であって、青色ＬＥＤチップと、このＬＥＤチップからの光に励起されて所定波長の励起光を発光する蛍光体と、を組み合わせて白色発光する白色ＬＥＤ光源を用いる。基板２１は、例えば、棚板の全幅を均一に照明するために、棚板の幅程度の長さとされ、この上に点状光源２となるＬＥＤ光源を所定ピッチで複数個搭載している。ただし、棚幅が広い場合は、複数の基板に分け、それぞれを電気的に接続する構成としてもよい。
【００６０】
そのために、図２に示すように、照明装置１Ａは点状光源２を所定間隔で複数並設する長手方向に沿って長尺とされ、長寸の反射面（第一反射面１１と第二反射面１２）と射出面１３を有している。
【００６１】
また、所定間隔で複数配置される点状光源２が出射する光を均一にするためには、この並設方向に、隣り合う光源同士の光を重ね合わせると共に、所定角度範囲に拡散させて射出することが好ましい。そのために、本実施形態では、射出面１３に拡散部１４（異方性拡散部）を設ける構成としている。
【００６２】
このような構成であれば、光源から最も離れた面に異方性拡散部１４を設けることで、光源から異方性拡散部１４に至る光路長を最大に確保でき、より小型で均一な照明が可能となる照明装置１Ａを実現することができて好ましい。
【００６３】
また、異方性拡散部１４は、点状光源２が配置される長手方向により大きな拡散特性を有することが好ましい。この構成であれば、所定間隔で離散配置される複数の点状光源２が出射する光を重ねて効率よく分散することで、離散的に配置された点状光源２を用いても、均一な面光源としての照明光を射出することができる。
【００６４】
例えば、異方性拡散部１４は、点状光源２の配列方向（例えば、水平方向）により大きな拡散度（例えば、４０度）を有し、これと直交する方向（例えば、垂直方向）には小さな拡散度（例えば、１度）のみ拡散する一方向拡散部とされる。このような構成であれば、垂直方向には拡散せずに所定角度範囲を高照度に照明し、点状光源２が並設される水平方向（長手方向）は、異方性拡散部１４により拡散されて、隣り合う光源同士の光が混ぜ合わされて均一化された直線状の二次光源となる。
【００６５】
異方性拡散部１４は、射出面１３以外の面に設けてもよく、例えば、導光される光束を射出面１３に向けて反射する第二反射面１２に設けてもよい。この構成であれば、射出面１３に向けて光束を導光する反射面（第二反射面１２）に異方性拡散部１４を設けるので、所定の角度範囲に拡散しながら射出面１３に導光でき、射出面１３に異方性拡散部１４を設けなくても、均一な照明が可能となる照明装置を実現することができる。
【００６６】
また、第二反射面１２に異方性拡散部１４を設ける場合は、第二反射面１２の、射出部に対向した部位に設けることが好ましい。この構成であれば、射出される直前に拡散するので、繰り返し拡散して反射せず、発散角をむやみに大きくせず、複数の点状光源の輝度ムラを軽減して均一な照明が可能となって好ましい。
【００６７】
この異方性拡散部１４は、例えば透光性部材の表面に、サブミクロンから数十ミクロンの微細でランダムな凹凸表面を形成して設けることができる。また、この凹凸形状の大きさや配設状態により、所望の拡散度を得ることができる。
【００６８】
例えば、微細でランダムな凹凸形状をストライプ状にし、その垂直方向には、微細な凹凸形状のない形状とすることで、一方向に大きく拡散し、その垂直方向には殆んど拡散しない拡散部材を得ることができる。また、１ミクロン程度の比較的微細なサイズの凹凸形状で大きな拡散度となり、１０ミクロン程度の比較的大きな凹凸形状にすれば、数度の小さな拡散度となる。
【００６９】
また、透光性部材の表面に微細な凹凸表面を設けて異方性拡散部１４を形成する方法以外の方法でもよく、例えば、所定の拡散度を発揮する拡散シートや拡散フィルムを所定部位に貼付する構成としてもよい。
【００７０】
このような異方性拡散部１４を用いて、隣り合う点状光源２が出射する光の輝度を揃えるためには、隣り合う点状光源２の所定強度の光が重なった後で拡散して、均一に混ざり合わせることが好ましいので、隣り合う点状光源２からの強度３０％以上の光が重なることが好ましい。さらに、点状光源２から異方性拡散部１４に至る最短の光路長をＬ１とし、点状光源２の配置ピッチをＰとし、点状光源２の指向角半値幅をθ１としたときに、
Ｌ１＞Ｐ／２ｔａｎθ１（式１）
を満たすことが好ましい。この構成であれば、この条件式を満たす最短光路を確保することで、隣り合う点状光源からの強度１／２の光が重なり混ざり合った光となって、射出面での輝度ムラを抑制して略一定の輝度にすることができる。
【００７１】
例えば、指向角半値幅θ１が６０°のＬＥＤ光源を点状光源２として用いたとき、点状光源２から異方性拡散部１４に至る最短光路長Ｌ１は０．３Ｐ程度でよい。この構成であれば、隣り合う点状光源２からの強度１／２の光が重なる最短の光路長を確保することができ、短光路で小型のコンパクトな構成の照明装置を得ることができて好ましい。
【００７２】
また、本実施形態では、点状光源２から異方性拡散部１４までの距離を配置ピッチＰの半分に設定し、拡散部１４上で、点状光源２の強度半値以上の光束が互いに重なり合うように設定し均一な照明が可能な照明装置としている。
【００７３】
例えば、強度半値（指向角半値幅θ１）が±６０度の点状光源２を配置ピッチ２０ｍｍとしたときに、点状光源２から拡散部１４までの最短距離を１０ｍｍとしている。（式１）によれば、最短光路長Ｌ１は、７ｍｍ程度であるが、これよりも長い１０ｍｍとしているので、強度半値の光束が重なる構成となる。
【００７４】
また、図１に示すように、点状光源２から直接射出部３０に導光して射出される光束Ｒ１ａと、第二反射面１２で反射した後、射出部３に導光して射出される光束Ｒ１ｂとが重なるようにしている。すなわち、第二反射面１２は、該反射面で反射した光束を点状光源２から射出部３０に直接導光される光束に重ね合わせるように設置されることが好ましい。この構成であれば、特定方向（図中の矢印Ａ方向）を高強度に照明可能な照明装置を得ることができる。
【００７５】
また、第一反射面１１で反射された後に第二反射面１２で反射されて拡散部１４に導かれる光束Ｒ１ｃも照明光となる。反射回数の異なる光束は光路長が異なり、これら光束が混ぜ合わされるので光源配列方向に均一な二次光源とすることができ、照明対象を均一に照明することができる。
【００７６】
異方性拡散部として、Ａ方向を高強度に照明するために一方向拡散部を用いたが、これに限るものではなく、例えば、やや広めに照明する場合は、点状光源２の配列の垂直な方向に１０度程度拡散させてもよい。ただし、拡散度を大きくすると暗くなるので、少なくとも配列方向の拡散度よりも小さい拡散度に設定することで効率よく高強度に特定方向を照明することができる。
【００７７】
点状光源２は、例えば、青色ＬＥＤと青色を受けて黄色を励起する黄色蛍光体を用いた白色ＬＥＤ光源である。また、白色ＬＥＤ光源に限らず点状光源であればよく、赤青緑の三原色ＬＥＤによる白色ＬＥＤ光源や、白色でないＬＥＤ光源を用いてもよい。
【００７８】
また、第一、第二反射面を傾斜させて、所定方向を高強度に照明するように配光制御してもよく、例えば図中の破線に示すように、傾斜した第一反射面１１ａを用いることで、この面で反射する光をさらにＡ方向に向かわせるようにして、特定方向をさらに高強度に照明することができる。
【００７９】
また、点状光源２が発する光を異なる二方向にそれぞれ導光可能な照明装置を用いて所定の二方向（例えば、棚板の上下）を同時に照明することも可能であるので、この具体的な構成について、図３、図４を用いてそれぞれ説明する。
【００８０】
図３は第二実施形態の照明装置１Ｂを示している。この照明装置１Ｂの導光経路は、点状光源２からの光を異なる二方向に分岐して導光する第一導光経路１０Ｂａと第二導光経路１０Ｂｂを有し、それぞれの導光経路に、第一、第二反射面、および、射出面を設けた構成としている。このような構成であれば、異なる二方向（例えば、棚板の上下）を同時に均一に照明可能な照明装置を得ることができて好ましい。
【００８１】
例えば、第一導光経路１０Ｂａと第二導光経路１０Ｂｂとの分岐部となる第二反射面１２Ｂ（第二反射面１２Ｂａと第二反射面１２Ｂｂを合わせた総称）の略中央部に点状光源２を設置し、この点状光源２に対向する第一反射面側に光束を上下に分岐する分岐反射面１５を設ける。
【００８２】
分岐反射面１５は、点状光源２からの光を図の上側に向けて反射する第一分岐反射面１５ａと、下側に向けて反射する第二分岐反射面１５ｂとが、例えば、９０°のＶ字状に交差した反射面である。
【００８３】
そのために、点状光源２から出射した光は、第一分岐反射面１５ａにより図の上側に向けて反射され、第一反射面１１Ｂａと第二反射面１２Ｂとで反射され上側照明を行う第一射出面１３Ｂａから、主に矢印Ａ方向に向けて射出される。また、第二分岐反射面１５ｂより図の下側に向けて反射された光は、第一反射面１１Ｂｂと第二反射面１２Ｂとで反射され下側照明を行う第二射出面１３Ｂｂから、主に矢印Ｂ方向に向けて射出される。
【００８４】
また本実施形態では、第一、第二反射面と射出面で形成される導光経路を、例えば、点状光源２からの直接上側の射出面１３Ｂａに向かう光が矢印Ａ方向を向くように設定し、第一分岐反射面１５ａで反射され直接射出される光や、第一分岐反射面１５ａで反射した後、さらに第一反射面１１Ｂａや第二反射面１２Ｂで反射した光などが、矢印Ａ方向に概ね重なるように設定している。
【００８５】
また、この実施形態でも、第一射出面１３Ｂａに異方性拡散部１４を設けている。この異方性拡散部１４は、例えば、点状光源２の配列方向には８０度拡散し、その垂直方向には３０度拡散するようにしている。
【００８６】
このように、垂直方向にも３０度程度拡散させることで、第一射出面１３Ｂａから射出される光束は図示するように、点状光源２が並設される方向と直交する方向にも所定角度拡散して射出され、面状に均一に混ぜ合わされた照明光を射出する。
【００８７】
また、点状光源２から異方性拡散部１４までの最短距離は、光源ピッチが２０ｍｍのときに、この略３０％に当る７ｍｍに設定している。この構成であれば、点状光源２から拡散部１４に至る最短光路長は７ｍｍ以上となるので、前述した強度半値以上の光束が互いに重なり合って均一な照明が可能に設定された照明装置１Ｂとなる。
【００８８】
下側の射出面１３Ｂｂに異方性拡散部１４を設けてもよいが、この照明装置１Ｂが、ただ単に、棚板に下側に向けて照明光を射出すればよい場合は、特に異方性拡散部１４を設ける必要はない。
【００８９】
また、図４に示す第三実施形態の照明装置１Ｃのように、第一反射面側に点状光源２を設置し、第二反射面側に分岐反射面１５を設けてもよい。分岐反射面１５は、点状光源２からの光を図の上側に向けて反射する第一分岐反射面１５ａと、下側に向けて反射する第二分岐反射面１５ｂとが、例えば、９０°のＶ字状に交差している。
【００９０】
この構成であっても、点状光源２から出射した光は、第一分岐反射面１５ａにより図の上側に向けて反射され、第一反射面１１Ｃａと第二反射面１２Ｃａとで反射され射出面１３Ｃａから、主に矢印Ａ方向に向けて高強度に射出される。また、第二分岐反射面１５ｂより図の下側に向けて反射された光は、第一反射面１１Ｃｂと第二反射面１２Ｃｂとで反射され射出面１３Ｃｂから、主に矢印Ｂ方向に向けて高強度に射出される。
【００９１】
また、上側の射出面１３Ｃａに光を所定方向屈折して射出する屈折体４を設け、点状光源２から出射した光のうち、第一分岐反射面１５ａにより図の上側に向けて反射されて直接射出される光が、この屈折体４を介して矢印Ａ方向に向けて効率よく射出されるようにしている。
【００９２】
また、本実施形態では、射出面１３Ｃａの裏面側に異方性拡散部１４を設けた構成としている。また、この異方性拡散部１４は、例えば、点状光源２の配列方向には８０度拡散し、その垂直方向には６０度拡散するようにしている。このように、垂直方向の拡散度が大きくても、屈折体４を設けているので、この屈折体４の全反射と傾斜配置により射出方向を制限でき、特定方向である矢印Ａ方向付近を高強度に照明することができる。
【００９３】
また、導光素子を用いて導光経路を形成してもよく、この実施形態について図５〜図８を用いて説明する。
【００９４】
図５に示す第四実施形態の照明装置１Ｄは、屈折率が１より大きな導光素子３（例えば、屈折率が約１．５のＰＭＭＡ：アクリル）を用いた例を示す。また、点状光源２からの光が入射する入射面３１と、光を射出する射出面３２と、入射面３１から入射した光束を射出面３２まで導光するように対向して配設される一対の反射面（第一反射面３３、第二反射面３４）を有する。
【００９５】
また、異方性拡散部１４を、例えば、第二反射面３４の射出面３２に対向する部位に設けた構成としている。このように、射出面３２に対向する部位にのみ異方性拡散部１４を設けることで、拡散により光束の発散角をむやみに大きくせず、複数の点状光源２の輝度ムラ、導光素子内面での反射回数の異なる光束の輝度ムラを軽減している。
【００９６】
また、入射面３１から直接、あるいは、第一反射面３３で反射され直接射出面３２に導かれる光は、射出面３２が第一反射面３３や第二反射面３４に対して平行に近い角度（例えば、１０〜３０°好ましくは１５°傾斜させる）なので、射出面３２で全反射され、第二反射面３４で射出面３２に向けて反射する往復反射を繰り返した後、射出面３２で全反射から外れたものから順次射出する。
【００９７】
また、異方性拡散部１４は、例えば、点状光源２の配列方向に８０度拡散し、その垂直方向により小さな拡散角度で拡散する拡散部としている。この垂直方向の拡散度は１０〜６０度程度でよい。例えば、垂直方向の拡散度が６０度であっても、前述したように、導光素子３の全反射により射出方向が制限されるので、６０度の拡散方向では拡散度が小さくなり、特定の矢印Ａ方向を高強度に照明できる。
【００９８】
すなわち、射出面３２の傾斜角度を、第二反射面３４に平行に近い角度の１５°程度に設定することで、射出面３２より斜め方向に射出して射出面３２の法線方向から、例えば４５°傾斜した特定方向付近に高強度の光を射出し、第二反射面３４に垂直な方向に射出する光は殆んど射出せず、特定の矢印Ａ方向のみを高強度で照明するように制御できる。
【００９９】
また、第二反射面３４に異方性拡散部１４を設けているので、射出部３２から大きく斜め方向に射出される光束の屈折時色分散による色ムラを射出前の拡散により抑えることができる。また、対向する反射面間で反射回数の異なる光は、異方性拡散部１４によって射出面３２への入射角度や射出位置が少しずつ異なるので、互いに混ぜ合わされて大きく拡散することなく均一に射出する。
【０１００】
第一反射面３３および第二反射面３４で全反射しない光は、例えば、各反射面の裏面にアルミ製カバーを配置して、カバーにより反射される光が導光素子３に再入射するように構成する。このためには、アルミ製カバーに白色塗装の白色反射処理やミラー処理を施した反射部材を配置してもよいし、アルミ製カバーに替えて、反射面にミラー処理やミラーフィルムを貼付してもよい。
【０１０１】
本実施形態では、導光素子３で導光経路を形成するので、中空で空気層を用いて導光経路を形成するのと比較して、導光経路が長くなる。そのために、光源から離れた位置に射出部を設け、光源から離れた部位を照明でき、上下の幅の大きな棚板用の照明装置として好適となる。
【０１０２】
図６に示す第五実施形態の照明装置１Ｅは、前述した導光素子３と略同形状の導光素子３Ａを上下一対用いた構成として、点状光源２からの光を異なる二方向に分岐して導光するようにしたものである。
【０１０３】
そのために、点状光源２に対向し所定角度傾斜した入射面３１Ａａ、３１Ａｂが光束を異なる二方向に分岐する光束分岐面となる。すなわち、点状光源２から出射す入射面３１Ａａから図の上方に向けて導光される光は、射出面３２Ａａから特定方向の矢印Ａ方向に射出され、入射面３１Ａｂから図の下方に向けて導光される光は、射出面３２Ａｂから特定方向の矢印Ｂ方向に射出される。
【０１０４】
このように、点状光源２から出射する光束を異なる二方向に分割して、各々の光束がＡ方向およびＢ方向を照明するので、効率よく高強度に限定された特定方向を照明できる。また、点状光源２がレンズ付きＬＥＤ光源のように所定の角度範囲に集光された光源であっても、異方性拡散部１４を、例えば、第二反射面３４Ａの広い部分に設けることで、大きな角度に拡散して、十分に均一な照明ができる照明装置を得ることができる。
【０１０５】
また、第二反射面３４Ａの広い部分に設けるので、本実施形態では、異方性拡散部１４として、光源配列方向に３０度、その垂直方向に０．５度の拡散度を有した拡散部を用いている。
【０１０６】
また、一対二個組み合わせることに替えて、一対二個を組み合わせた形状の一体型の導光素子を用いることもできる。例えば、断面Ｔ型の導光素子を用いて異なる二方向に分岐して導光することができる。また、断面Ｔ型の導光素子を用いると、光源から射出面に至る光路長を長く確保できるので、照明装置の小型化やコンパクト化にとって有効である。この実施形態について、図７を用いて説明する。
【０１０７】
図７には第六実施形態の照明装置１Ｆを示す。この照明装置１Ｆは断面Ｔ型の一体形状とされる導光素子３Ｂを備えていて、異なる二方向、例えば上下に分岐した第一導光経路１０Ｆａと第二導光経路１０Ｆｂを有し、さらに、点状光源２からの光を第一、第二導光経路に導く入射導光経路１０Ｆｃを有する。
【０１０８】
また、反射面に相当する部位にそれぞれ反射部材を設け、全ての光を射出面に導光する反射面を形成するように構成している。例えば、第一反射面１１Ｆ、第二反射面１２Ｆ、入射反射面（上側入射反射面１７ａ、下側入射反射面１７ｂ）を設ける。また、点状光源２を紙面に垂直な方向に複数離散配置し、射出面（第一射出面３２Ｂａ、第二射出面３２Ｂｂ）を第二反射面１２Ｆに対する傾斜角度を約１０°としている。
【０１０９】
このように、断面Ｔ型の導光素子３Ｂを用いることで、光源から射出面に至る光路長を長く取ることができ、隣り合う点状光源からの光が混ぜ合わされて均一な照明光を得ることができる。また、例えば、第二反射面１２Ｆに異方性拡散部１４を設けて、さらに良好に混ぜ合わせるようにしてもよい。
【０１１０】
この異方性拡散部１４は、例えば、光源配列方向に６０度の拡散度を有する一方向拡散部とする。また、第二反射面１２Ｆの、それぞれ射出面に近い部分のみに設けるようにしてもよい。
【０１１１】
また、本実施形態では、入射面３１ＢをＶ字状に形成し、第一入射面３１Ｂａと第二入射面３１Ｂｂを、例えば、それぞれ２０°傾斜させた面とする。そして、第一入射面３１Ｂａから入射し、上側入射反射面１７ａを介して第二導光経路１０Ｆｂから図の下方に向かう図中の矢印Ｂに示す射出光と、第二入射面３１Ｂｂから入射し、下側入射反射面１７ｂを介して第一導光経路１０Ｆａから図の上方に向かう図中の矢印Ａに示す射出光を生成する。
【０１１２】
上記の構成は、導光経路を屈折率が１より大きな導光素子３Ｂで構成し、この導光素子３Ｂに点状光源２が出射する光を入射する入射面と、光束を射出する射出面と、入射面に入射した光束を射出面まで導光する相対向した反射面と、を設け、射出面もしくは反射面の少なくとも一方に異方性拡散部を設けた構成となる。そのために、導光素子３Ｂで導光経路を形成することで、中空で空気層を用いて導光経路を形成するのと比較して、導光経路が長くなり、光源から離れた部位を照明でき、上下の幅の大きな棚板５用の照明装置として好適となる。
【０１１３】
すなわち、この照明装置１Ｆを、商品ショーケース等の複数段の棚板に設けることにより、上下から棚板上の商品を照明することができ、影が少なく、効率よく、明るい照明とすることができる。また、これにより、商品購入者の購買意欲が増すという効果を発揮する。
【０１１４】
また、ショーケース等の棚板の取り付ける照明装置として図８に示す第七実施形態の照明装置１Ｇを用いることができる。この照明装置１Ｇは、平板状の中間部に光束を上下に分岐するＶ溝３５を備えて一体化された導光素子３Ｃを介して棚板の上下を同時に照明している。
【０１１５】
この照明装置１Ｇは、棚板５の先端に装着するホルダ６とステー７を介して点状光源２を実装した基板２１と導光素子３Ｃと第二反射面１２Ｇを取り付けた構成である。また、基板２１に対向する面を含む導光素子３Ｃの所定部位に第一反射面１１Ｇを装着してもよい。
【０１１６】
また、第一傾斜面３５ａと第二傾斜面３５ｂを有するＶ溝３５に対向する位置に点状光源２が配設されており、この点状光源２から出射した光は、第一傾斜面３５ａにより上方に向けて反射され、第一導光経路１０Ｇａを経由して棚板の上側照明を行う第一射出面３２Ｃａから特定方向の図中の矢印Ａ方向に射出される光束と、第二傾斜面３５ｂにより下方に向けて反射され、第二導光経路１０Ｇｂを経由して棚板の下側照明を行う第二射出面３２Ｃｂから広範囲の図中の矢印Ｂ１方向に射出される光束とに分岐される。
【０１１７】
また、導光素子３Ｃの外側に反射機能を有する第二反射面１２Ｇを設け、第一射出面３２Ｃａは、この第二反射面１２Ｇに平行に近い傾斜角度（約１０度）とし、特定方向の図中の矢印Ａ方向を主に照明するようにしている。なお、本実施形態では、下側照明を行う第二射出面３２Ｃｂを水平（第二反射面１２Ｇに垂直）に形成し、照明光を下側に大きく散乱するようにしている。
【０１１８】
そのために、この第二射出面３２Ｃｂを介して、下段の棚板に向けて光を大きく散乱して広く照明し、下段の棚板に陳列された商品の上面を効果的に照明することができる。また、第一射出面３２Ｃａを介して、棚板の斜め上方に向けて特定方向を照明し、棚板に陳列された商品の前面を効果的に照明することができる。また、この第一射出面３２Ｃａに異方性拡散部１４を設けることで、所定間隔で設置される複数の点状光源２からの光がさらに良好に混ぜ合わせて均一な照明光を得ることができる。
【０１１９】
上記したように、斜め上方の特定方向に向かう照明光により、棚板５に載置される商品Ｍの物体表面を効果的に照明し、棚板５の下側の広い範囲を照明する照明光により、棚板５の下側の棚板に載置された商品の上部を効果的に照明する。つまり、複数段の棚板に本実施形態に係る照明装置１Ｇを設けることにより、上下から棚板上の物体を照明できるので、影が少なく、効率よく明るい照明とすることができる。
【０１２０】
また、棚板の前端に設置して棚板の上下を同時に照明する照明装置１Ｅ〜１Ｇを適宜組み合わせて用いることも可能である。
【０１２１】
例えば、図９に示すショーケースＳＣのように、台座１０１と本体枠１０２と冷却機１０３を備え、陳列室に複数の棚板５Ａ、５Ｂ、５Ｃを設け、それぞれの棚板の前端に棚板用の照明装置１（１Ｅ〜１Ｇ）を装着した構成では、棚板５Ａに装着した照明装置１（１Ｅ〜１Ｇ）が、棚板５Ａに載置された商品の前面領域を照明する照明光ＲＡ１と、棚板５Ｂに載置された商品の上側領域を照明する照明光ＲＢ１を、それぞれ均一に射出する。
【０１２２】
また、棚板５Ｂに装着した照明装置１は、棚板５Ｂに載置された商品の前面領域を照明する照明光ＲＡ２と、棚板５Ｃの商品の上側領域を照明する照明光ＲＢ２を均一に射出し、棚板５Ｃに装着した照明装置１は、棚板５Ｃに載置された商品の前面領域を照明する照明光ＲＡ３と、棚板５Ｃの下にある商品の上側領域を照明する照明光ＲＢ３をそれぞれ均一に射出する。
【０１２３】
このように、棚板５を複数段備えるショーケースＳＣのそれぞれの棚板５に本実施形態に係る照明装置１（１Ｅ〜１Ｇ）を装着して、棚板５の上下を同時に照明することで、ショーケースＳＣに陳列する商品を効率よく均一に照明可能な照明装置となる。
【０１２４】
なお、点状光源としてチップ型のＬＥＤ光源を用いた実施形態例としたが、その他の点状光源であってもよく、例えば、レンズ付きや砲弾型のＬＥＤ光源を用いてもよい。
【０１２５】
上記したように、本発明に係る照明装置によれば、点状光源の配置ピッチに応じた所定の光路長離れた所定の部位に異方性拡散部を設け、隣り合う点状光源から出射する光の所定強度部分が重なった後で、所定方向に所定角度拡散した光を射出する構成としているので、点状光源の光を配光制御して所望の特定方向に明るく効率よく均一に照明可能で、且つ、光源が均一で商品に写り込んでも眩しくなく、商品の見栄えを悪くしない効果的な照明が可能な照明装置を得ることができる。
【０１２６】
また、異方性拡散部は、点状光源が配置される長手方向により大きな拡散特性を有するようにしているので、所定間隔で離散配置される複数の点状光源が出射する光を重ねて効率よく分散することで、離散的に配置された点状光源から均一な照明光を射出することができる。
【０１２７】
また、点状光源としてＬＥＤ光源を用いているので、高照度で、消費電力が小さく、発熱も小さいＬＥＤ光源を用いて、高効率の照明装置を実現することができる。
【０１２８】
次に、図１０を用いて本発明に係る棚板照明装置の第一実施形態について説明する。図１０に示す棚板照明装置１ＡＡは、棚板を備えるショーケースに用いる照明装置であって、棚板の長手方向に間隔をおいて配設する複数の点状光源２と、該光源から出射する光を長手方向と直交する方向に導光する導光経路１０ＡＡと、導光された光を所定方向に射出する射出部と、を備える照明光学系を有する。また、導光経路１０ＡＡを、空気層を挟んで対向する第一、第二反射面から構成し、射出部を、入射面と射出面を有するキャップ部材３ＡＡから構成している。
【０１２９】
すなわち、点状光源２は、図面の垂直方向を長手方向として所定の間隔をおいて複数配設されており、第一反射面１１ＡＡ、第二反射面１２ＡＡもこの長手方向に延設された長尺な反射面とされ、例えば、ショーケースなどの棚板の前端に直接装着して棚板上に陳列された商品を照明する棚板照明装置１ＡＡとされる。
【０１３０】
また、この第一実施形態の棚板照明装置１ＡＡが備えるキャップ部材３ＡＡは、図に示すように、対向する第一、第二反射面の上端部に傾斜して配設される平板状の透光性部材（例えば、屈折率が約１．５のＰＭＭＡ：アクリル）からなる。すなわち、キャップ部材３ＡＡが備える入射面３１ＡＡと射出面３２ＡＡとは平行であり、棚板上に陳列される商品に向かうように傾斜している。例えば、導光経路１０ＡＡを介して導光される方向と、射出面３２ＡＡの垂線とのなす角θ２が約６５°傾いている。
【０１３１】
上記したように、この棚板照明装置１ＡＡは、空気層を挟んで対向する第一、第二反射面から構成される導光経路１０ＡＡを備えているので、空気層を導光経路としており、大きな配光角を有し、短い距離で隣り合う点状光源２からの光が混ざり合う構成となる。また、キャップ部材３ＡＡは、隣り合う点状光源２からの光束が、キャップ部材３ＡＡの射出面３２ＡＡの位置で互いに重なり合うように設けられる。
【０１３２】
このような構成であれば、隣り合う点状光源２からの光束が、キャップ部材３ＡＡの射出面３２ＡＡの位置で棚板の長手方向に対して、互いに重なり合うために、長手方向に対して均一な照明が可能となる。また空気層を導光経路としているので、短い光路長で点状光源２からの光が混ざり合い、混ざり合った光はキャップ部材３ＡＡから所定方向に射出される。そのために、コンパクト化が可能で所定範囲を効果的に照明可能な棚板照明装置１ＡＡを得ることができる。
【０１３３】
また、点状光源２から入射面３１ＡＡに至る最短の光路長をＬ１とし、点状光源２の配置ピッチをＰとし、点状光源２の指向角半値幅をθ１としたときに、
Ｌ１＞Ｐ／２ｔａｎθ１（式１）
を満たす位置にキャップ部材３ＡＡを配設している。
【０１３４】
このような構成であれば、隣り合う点状光源２が発する光の強度が１／２になる光が重なり混ざり合った後で、入射面３１ＡＡに入射して射出面３２ＡＡから射出する構成となるので、均一に混ざり合うと共に、光の強度が略同一レベルとなる照明光を射出することができて好ましい。
【０１３５】
点状光源２は、例えば、基板２１にＬＥＤを搭載したチップ型のＬＥＤ光源であって、青色ＬＥＤチップと、このＬＥＤチップからの光に励起されて所定波長の励起光を発光する蛍光体と、を組み合わせて白色発光する白色ＬＥＤ光源を用いる。基板２１は、例えば、棚板の全幅を均一に照明するために、棚板の幅程度の長さとされ、この上に点状光源２となるＬＥＤ光源を所定ピッチで複数個搭載している。ただし、棚幅が広い場合は、複数の基板に分け、それぞれを電気的に接続する構成としてもよい。
【０１３６】
また、指向角半値幅θ１が約６０°のＬＥＤ光源を用いて、隣り合う光源の配置ピッチＰを５０ｍｍとしたときの光路長と点状光源の配置ピッチと点状光源の指向角半値幅との関係について図１１を用いて説明する。
【０１３７】
図１１に示すように、キャップ部材３ＡＡの入射面３１ＡＡは、隣り合う点状光源２が配置ピッチＰ＝５０ｍｍで配置されているときの、指向角半値幅θ１の光線ＤａとＤｂが重なり混ざり合った後の位置に配設されている。
【０１３８】
すなわち、指向角半値幅θ１の光線ＤａとＤｂは、距離Ｌ０の位置（Ｐ／２ｔａｎθ１に相当する位置）で重なり混ざり合い、入射面３１ＡＡはＬ０よりも長い光路長Ｌ１を有する。そのために、入射面３１ＡＡからキャップ部材３ＡＡに入射する光は、それぞれの点状光源２が発する光の１／２の強度の光が重なり混ざり合った光となって、長手方向の輝度ムラが削減された光を均一に射出する構成となる。
【０１３９】
例えば、図１２に示すように、入射面３１ＡＡに入射する入射面輝度は、隣り合う一方の点状光源２が発する光の輝度Ｒａと他方の点状光源２が発する光の輝度Ｒｂとが混ざり合った略一様な輝度Ｒの光束を合成する。
【０１４０】
すなわち、（式１）の条件を満足する位置にキャップ部材３ＡＡを配設することで、入射面３１ＡＡ位置での点状光源２の配列方向の輝度が略均一になることが判った。言い換えれば、点状光源２から射出部に至る光路長が、配置ピッチＰで配設される点状光源２から出射する光の強度が１／２となる指向角半値幅に応じた長さ以上とされるので、隣り合う点状光源からの強度１／２となる光が重なり混ざり合った光となり、光の強度が略同一レベルとなる照明光を射出することができる。
【０１４１】
上記したように、キャップ部材までを中空とすることにより、短い距離で離散的に配置された点状光源からの光を配列方向において均一にすることができる。また、光源からキャップ部材３ＡＡまでの光路長を短くできるので、棚板の先端に装着する際に、光を導光する上下方向の長さを小さくしてコンパクトにでき、棚板に装着するプライスレールの幅と略同等の幅で構成することができ、商品購入者の観察の邪魔にならず、ショーケースの意匠を考慮した場合も好適な棚板照明装置となって好ましい。
【０１４２】
また、導光経路を介して導光される方向と、射出面３２ＡＡの垂線とのなす角θ２はブリュースタ角よりも大きな角度であることが好ましい。対向する第一、第二反射面のうち、観察者側の反射面高さが、商品側反射面高さより高くして、キャップ部材３ＡＡを、ブリュースタ角以上の角度で傾けることにより、観察者側の反射面に当ってキャップ部材３ＡＡより射出される光は商品側に向けて射出される。
【０１４３】
また、商品側反射面に当った光束、および、反射面に当らず直接キャップ部材に入射した光束は、射出面にブリュースタ角よりも大きな角度で入射することになるので、フレネル反射により棚側に射出する照明光を、観察者側に射出する照明光と比較して大きくすることができ、商品を効率的に照明できるだけでなく、観察者が商品を観察するときの眩しさを低減することができて好ましい。
【０１４４】
これは、図１３に示すフレネル反射の入射角度と反射率との関係から判るように、屈折率が１．５の媒質に入射する光は、約６０°よりも入射角が大きくなると、すなわち、ブリュースタ角（約６０°）よりも大きくなると、反射率は急激に増加するからである。この図１３には、屈折率ｎ＝１．５の媒質に入射するｐ波の反射率（ｐ反射率）とｓ波の反射率（ｓ反射率）とこれらの平均反射率を示している。
【０１４５】
一方、棚板の先端に装着し、棚の上方に向かって、主に商品のフェイス面を照明するための照明装置では、照明光の配光中心が、真上よりも少し棚板側に傾いている状態が望ましい。真上よりも観察者側へ照明光が射出されると、観察者は照明光が眩しくて商品を良好に観察できない。また、配光中心が棚板側へ大きく傾くと、商品の下部のみを明るく照らす照明となってしまい、フェイス面全体を均一に良好に照明することは困難である。
【０１４６】
本実施形態のキャップ部材３ＡＡは、入射面３１ＡＡと射出面３２ＡＡとが平行であり、射出面３２ＡＡの導光方向に対する傾き角θ２が約６５°であるので、入射面３１ＡＡの傾き角θ３も約６５°である。すなわち、点状光源２から真上に向かって直接キャップ部材３ＡＡに到達した強い光は、６５°の入射角でキャップ部材３ＡＡ（入射面３１ＡＡ）に入射し、６５°の射出角でキャップ部材３ＡＡ（射出面３２ＡＡ）から射出される。
【０１４７】
点状光源２から直接キャップ部材３ＡＡに到達した光を含む入射角６５°以上でキャップ部材３ＡＡに入射する光は、それぞれの入射角に応じた反射率で反射され、光路に戻される。ブリュースタ角以下の角度でキャップ部材３ＡＡに入射した光は、略反射されることなく、入射面３１ＡＡおよび射出面３２ＡＡで屈折されて、棚板側へと射出される。
【０１４８】
キャップ部材３ＡＡの傾きは、これを取り付ける第一反射面１１、第二反射面１２の高さにより決定される。従って、棚板側の第一反射面１１ＡＡの上端部よりも、第二反射面１２ＡＡの上端部が高い位置になっている。対向する反射面間で反射しながらキャップ部材３ＡＡまで導光された光は、キャップ部材３ＡＡから射出される直前では、ほとんどの光が第二反射面１２ＡＡで反射され、棚板側への傾きを持った状態でキャップ入射面に入射し、棚板上方へと射出される。
【０１４９】
このような形態のキャップ部材３ＡＡを備える棚板照明装置１ＡＡの放射輝度特性について図１４を用いて説明する。
【０１５０】
図に示す横軸は、導光される真上方向を０°とし、棚板に向かう時計周りの角度を正の方向とする放射角θＡを示す。従って、０°が真上、９０°が棚板と平行方向、負の角度は観察者側へと射出される光を意味する。この図から、５°の位置に第一の輝度ピークＲ１を持ち、３０°付近に第二の輝度ピークＲ２を持つような配光特性を有していることが判る。
【０１５１】
すなわち、本実施形態に係る棚板照明装置１ＡＡは、棚板上に陳列された商品のフェイス面を上方まで良好に照明できることが判る。また、観察者へ特に低い角度で射出される照明光はほぼないので、観察者は、眩しいことなく快適に商品を観察することができる。
【０１５２】
次に、図１５を用いて第二実施形態の棚板照明装置１ＢＡについて説明する。
【０１５３】
この棚板照明装置１ＢＡは、前述した棚板照明装置１ＡＡが備える平行平板状のキャップ部材３ＡＡに替えて、楔形状のキャップ部材３ＢＡを備えた点が異なる。また、その他の構成は、棚板照明装置１ＡＡと同じであるので、ここでは詳述しない。
【０１５４】
楔形状のキャップ部材３ＢＡは、入射面３１ＢＡの傾き角と射出面３２ＢＡの傾き角が異なっていることを意味し、本実施形態では、入射面３１ＢＡの傾き角θ３ｂを５５°とし、射出面３２ＢＡの傾き角θ２ｂを３０°としている。つまり、入射面の傾きより射出面の傾きが小さい楔形状の断面を有する。
【０１５５】
従って、点状光源２からの射出光のうち、最も輝度の高い真上に向かう光は、第一、第二反射面に当ることなく直接キャップ部材３ＢＡの入射面３１ＢＡに到達し、楔形状のキャップ部材３ＢＡを介して棚板側へ曲げられて射出される。
【０１５６】
このような形態のキャップ部材３ＢＡを備える棚板照明装置１ＢＡの放射輝度特性について図１６を用いて説明する。最も輝度の高い照明光は、真上から棚板側へ約２０°傾いたところに輝度ピークＲ３を有する。これにより、商品のフェイス面を上方まで均一に良好に照明することができるよう配光制御された照明装置を提供することができる。
【０１５７】
また、所定の面に光を所定角度範囲に拡散する拡散部を設けて、さらに均一な面状の照明光を生成することが可能である。例えば、入射面３１ＢＡに、複数の点状光源２を配置する長手方向に、所定の散乱特性（例えば、σ１５°のガウス散乱特性）を有する拡散部１４を設ける。
【０１５８】
このような構成であれば、キャップ部材３ＢＡの入射面３１ＢＡで略均一に広がった照明光を散乱し、点状光源２の配列方向に略均一な面状の二次光源を作成できる。従って、棚上に陳列される商品の表面状態が光沢面、鏡面であったとしても、観察者が商品表面を介して点状の光源を観察することなく、観察者が移動して観察位置が動いた時にギラツキが生じない良好な照明装置を提供できる。
【０１５９】
また、断面Ｌ型の導光経路を用いて、光源から射出面に至る光路長を確保することが可能である。例えば、図１７に示すように、第一反射面１１ＣＡと第二反射面１２ＣＡとで形成される導光経路と直交する入射導光経路を有して断面Ｌ型となる導光経路１０ＣＡを有する変形例の棚板照明装置１ＣＡとする。
【０１６０】
この棚板照明装置１ＣＡは、点状光源２を観察者側に向かって射出するように基板２１を配設し、点状光源２を挟む上下両側に反射面１７（１７ａ、１７ｂ）を設けて入射導光経路を形成している。また、点状光源２からの光をキャップ部材３ＣＡに向かう方向に反射する４５°の傾きを有する傾斜反射面１５ＣＡを設けている。
【０１６１】
このような構成とすることで、導光経路をＬ型に折りたたむことができ、照明装置の上下幅をさらに小さくでき、さらなるコンパクト化が可能となる。そのために、棚板の上下幅が小さな薄い場合に有効な棚板照明装置１ＣＡとなる。
【０１６２】
次に、さらに異なる形状のキャップ部材を装着した第三実施形態の棚板照明装置１ＤＡについて、図１８を用いて説明する。
【０１６３】
この棚板照明装置１ＤＡは、前述した棚板照明装置１ＡＡが備える平行平板状のキャップ部材３ＡＡに替えて、断面が三角形状もしくは台形状のキャップ部材３ＤＡを備えた点が異なる。また、その他の構成は、棚板照明装置１ＡＡと同じであるので、ここでは詳述しない。
【０１６４】
このキャップ部材３ＤＡは、入射面３１ＤＡと射出面３２ＤＡの他に、第二反射面１２ＤＡに沿う第三の面３３ＤＡを有する。また、本実施形態では、入射面３１ＤＡの傾き角θ３ｄを０°として水平とし、射出面３２ＤＡの傾き角θ２ｄは、キャップ部材３ＡＡと同じく６５°としている。つまり、射出面３２ＤＡで一旦第三の面３３ＤＡに向けて反射した光を、この第三の面３３ＤＡの後方にある第二反射面１２ＤＡにより反射して再度キャップ部材３ＤＡ内に入射して射出面３２ＤＡから射出する。
【０１６５】
従って、点状光源２からの光は、直接、又は、第一、第二反射面で反射しながら導光されキャップ部材３ＤＡの入射面３１ＤＡに到達する。キャップ部材３ＤＡ内に入射した光は、その多くが射出面３２ＤＡで第三の面３３ＤＡに向かって全反射される。第三の面３３ＤＡを透過した光は、第二の反射面１２ＤＡで反射した後、第三の面３３ＤＡからキャップ部材内へ入射して、射出面３２ＤＡから屈折して射出する。
【０１６６】
このような形態のキャップ部材３ＤＡを備える棚板照明装置１ＤＡの放射輝度特性について図１９を用いて説明する。この輝度特性は、先に示したキャップ部材３ＡＡ〜３ＣＡの輝度特性と異なり、真上方向から棚板側へ約５５°傾いた方向に輝度ピークＲ４を有することが判る。これは、ハムなどの薄い商品を棚上に平積みして陳列する場合、商品の高さが低いので、棚先端に配置される照明装置の配光特性は、棚板の奥に向かう方向に輝度ピークを有する方が望ましく、本実施形態は、そのような陳列状態に好適な照明装置を提供することができる。
【０１６７】
ここで、第三の面３３ＤＡは、点状光源２の配列方向（棚板照明装置の長手方向）に、σ１５°のガウス散乱特性を有し、この配列方向と直交する方向（棚板照明装置の上下の幅方向）に、σ１°のガウス散乱特性を有する散乱面としての微細構造が形成されている。すなわち、第三の面３３ＤＡに拡散部１４が設けられている。この拡散部１４を形成する微細構造は、キャップ部材成型時に一体に構成することが可能である。
【０１６８】
このように、点状光源の配列方向の拡散特性を大きくすることにより、第三の面３３ＤＡが面状の二次光源となり、拡散特性の低い表面（容易に反射する表面）を有する商品を棚上に陳列しても、商品の表面を介して点状の光源を観察することなく、照明のギラツキ感を抑制することができる。また、棚板照明装置の上下の幅方向の拡散角を小さくすることにより、必要以上に照明光が広がるのを抑制して、効率的に配光制御された照明装置を提供できる。
【０１６９】
また、点状光源２が発する光を上下にそれぞれ導光可能な棚板照明装置を用いて棚板の上下方向を同時に照明することも可能であるので、この具体的な構成について、図２０Ａ〜図２０Ｄを用いてそれぞれ説明する。
【０１７０】
まず、図２０Ａを用いて第四実施形態の棚板照明装置１ＥＡについて説明する。
【０１７１】
この棚板照明装置１ＥＡは、例えば上側に向かう導光経路（第一導光経路１０ＥＡａ）と下側に向かう導光経路（第二導光経路１０ＥＡｂ）を有する。また、第一導光経路１０ＥＡａの射出部に第一のキャップ部材３ＥＡａを設け、第二導光経路１０ＥＡｂの射出部に第二のキャップ部材３ＥＡｂを設けている。点状光源２は、これらの第一、第二導光経路の中間部に配設され、観察者側に向けて、すなわち、第二反射面１２ＥＡに向けて射出するように、その発光部が配置されている。
【０１７２】
点状光源２に対向して設けられる第二反射面１２ＥＡは、上下の導光経路をカバーする程度の大きさを有しており、点状光源２が発する光は、対向する第二反射面１２ＥＡで反射して、それぞれ第一導光経路１０ＥＡａと第二導光経路１０ＥＡｂに分岐される。また、第一導光経路１０ＥＡａでは、第一反射面１１ＥＡ（第一上部反射面１１ＥＡａ）と第二反射面１２ＥＡとで反射しながらキャップ部材３ＥＡａまで導光され、第二導光経路１０ＥＡｂでは、第一反射面１１ＥＡ（第一下部反射面１１ＥＡｂ）と第二反射面１２ＥＡとで反射しながらキャップ部材３ＥＡｂまで導光される。
【０１７３】
すなわち、棚板照明装置１ＥＡの導光経路は、点状光源２からの光を異なる二方向に分岐して導光する第一導光経路１０ＥＡａと第二導光経路１０ＥＡｂを有し、それぞれの導光経路に、第一、第二反射面、および、キャップ部材を共に設けている。また、それぞれのキャップ部材が有する入射面に至る最短光路長は、強度が１／２となる光が混ざり合う前述した光路長Ｌ１であることが好ましい。この構成であれば、例えば、棚板の上面側に陳列された商品の前面を照明する上向き照明と、下の棚板に陳列された商品の上部を照明する下向き照明とを同時に行うと共に、それぞれ、離散的な配置に起因する輝度ムラを低減して輝度の均一な照明装置を実現することができる。
【０１７４】
また、点状光源２からの光を下側に射出する射出部に配設する第二のキャップ部材３ＥＡｂは、図に示すような水平に配設される平行平板からなるものでも、商品方向に傾斜した平行平板でも、商品方向に射出する射出面を備えた楔形状であってもよく、棚板の下側の所望の領域部分を効果的に照明可能なキャップ部材を用いることができる。
【０１７５】
図に示すような水平に配設される平行平板からなる第二のキャップ部材３ＥＡｂであれば、棚板の直下に輝度中心を有し、前後をバランスよく照明するような配光制御を行うことができる。
【０１７６】
また、点状光源２と対向する第二反射面１２ＥＡは、所定の角度で散乱する散乱特性（例えば、σ１５°のガウス散乱特性）を備えた反射面であることが好ましい。すなわち、第二反射面１２ＥＡに拡散部１４を設けることが好ましい。この構成であれば、点状光源２から出射した光は、第二反射面１２ＥＡで拡散反射され、上下に分割されて、それぞれ射出部に配設されたキャップ部材に向けて導光される。
【０１７７】
下側の第二のキャップ部材３ＥＡｂは、商品方向に向かうようには配光制御されないが、導光経路中のゴミやほこり、水分の侵入を防ぐことができ有効である。
【０１７８】
すなわち、この導光経路は、点状光源２からの光を異なる二方向に分岐して導光する第一導光経路１０ＥＡａと第二導光経路１０ＥＡｂを有し、それぞれの導光経路に、第一、第二反射面を設け、いずれか一方の導光経路に、商品側に射出するように傾斜したキャップ部材３ＥＡａを設け、他方の導光経路に当該導光経路に直交する射出面を有する第二のキャップ部材３ＥＡｂを設け、それぞれのキャップ部材が有する入射面に至る最短光路長が前記Ｌ１とされる。このような構成であれば、例えば、この棚板照明装置１ＥＡを取り付けた棚板の下側を照明する際に、第二のキャップ部材３ＥＡｂを介して、真下に向けて照明光を射出する照明装置を実現することができて好ましい。
【０１７９】
次に、図２０Ｂを用いて第五実施形態の棚板照明装置１ＦＡについて説明する。
【０１８０】
この棚板照明装置１ＦＡは、前述した棚板照明装置１ＥＡと同様に上下に分岐した第一導光経路１０ＦＡａと第二導光経路１０ＦＡｂを有する。ただし、点状光源２と対向する部位に点状光源２から出射した光を効率的に分岐する光束分岐部１６を設けた点が異なる。それ以外の構成は同様であるので、ここでは詳述しない。
【０１８１】
光束分岐部１６は、光束を効率的に上下に分岐するために、上向きに４５°傾いた第一傾斜反射面１６ａと下向きに４５°傾いた第二傾斜反射面１６ｂを備えた断面山型とされる。そのために、点状光源２から出射した光のうち第一傾斜反射面１６ａで上向きに反射した光は、上側に向かう第一導光経路１０ＦＡａを導光され上側のキャップ部材３ＦＡａから所定方向に配光制御されて射出される。また、点状光源２から出射した光のうち第二傾斜反射面１６ｂで下向きに反射した光は、下側に向かう第二導光経路１０ＦＡｂを導光され下側の第二のキャップ部材３ＦＡｂから所定方向に配光制御されて射出される。
【０１８２】
また、第一導光経路１０ＦＡａでは、第二反射面１２ＦＡと第一反射面１１ＦＡ（第一上部反射面１１ＦＡａ）とで反射しながらキャップ部材３ＦＡａまで導光され、第二導光経路１０ＦＡｂでは、第一反射面１１ＦＡ（第一下部反射面１１ＦＡｂ）と第二反射面１２ＦＡとで反射しながらキャップ部材３ＦＡｂまで導光される。
【０１８３】
ここで、上側照明に用いるキャップ部材３ＦＡａは、例えば、図に示すように楔形状とされ、商品方向に向かう照明光として配光制御されている。また、このキャップ部材３ＦＡａの入射面３１ＦＡａを、所定の角度で散乱する散乱特性（例えば、σ１５°のガウス散乱特性）を備えた透過面とする。すなわち、入射面３１ＦＡａに拡散部１４を設ける構成とすると、均一な光を発光可能な面状の二次光源を形成できる。キャップ部材３ＦＡａの射出面から射出された照明光は、真上から棚板上に陳列された商品に向かう方向に輝度ピークを有するように配光制御される。
【０１８４】
下側照明に用いる第二のキャップ部材３ＦＡｂは、例えば、図に示すような水平に配設される平行平板からなり、棚板の直下に輝度中心を有し、前後をバランスよく照明するような配光制御を行う。また、この第二のキャップ部材３ＦＡｂの射出面３２ＦＡｂを、所定の角度で散乱する散乱特性（例えば、σ１５°のガウス散乱特性）を備えた透過面とする。すなわち、射出面３２ＦＡｂに拡散部１４を設けると、均一な光を発光可能な面状の二次光源を形成できて好ましい。
【０１８５】
すなわち、この棚板照明装置１ＦＡは、点状光源２を上下の第一、第二導光経路に直交する位置に設け、点状光源２からの光を第一、第二導光経路に分岐する光束分岐部１６を設けた構成である。この構成であれば、光束分岐部１６を介して、一つの点状光源２からの光を第一、第二導光経路に効率よく導光可能となり、例えば、棚板の上下を同時に均一に照明可能な照明装置を実現することができて好ましい。
【０１８６】
上記した所定の角度で散乱する散乱特性を有する拡散透過面は、キャップ部材を成型する際に、一体成型することができる。また、所定の散乱特性を有する拡散シートや拡散フィルムを所定の面に貼り付ける構成としてもよい。
【０１８７】
次に、図２０Ｃを用いて第六実施形態の棚板照明装置１ＧＡについて説明する。
【０１８８】
この棚板照明装置１ＧＡは、前述した棚板照明装置１ＥＡと同様に上下に分岐した第一導光経路１０ＧＡａと第二導光経路１０ＧＡｂを有する。また、点状光源２と対向する部位に点状光源２が出射した光を効率的に分岐する光束分岐部１６を設けた点は、前述した棚板照明装置１ＦＡと同様であるので、ここでは詳述しない。ただし、点状光源２が出射する光を効率的に光束分岐部１６に導くために、点状光源２を挟む上下両側に入射反射面１７を設けた点が異なる。
【０１８９】
入射反射面１７は、上側入射反射面１７ａと下側入射反射面１７ｂを備えており、点状光源２が出射した光のうちこの反射面に向かう光を効率よく光束分岐部１６に向けて反射する。すなわち、点状光源２からの光は、対向する部位に設けられた光束分岐部１６に直接当って上下に分岐される光束と、上下の反射面で反射しながら導光され光束分岐部１６で反射される光束と、上下の反射面で反射された後、直接第二反射面１２ＧＡで反射されて上下のキャップ入射面に向かう光束と、が合成されてキャップ射出面から射出される。
【０１９０】
また、本実施形態では、上側照明に用いるキャップ部材３ＧＡａも下側に用いるキャップ部材３ＧＡｂも共に平行平板からなる透光部材を用いている。また、共に、その入射面が、所定の角度で散乱する散乱特性（例えば、σ１５°のガウス散乱特性）を備えた透過面としている。すなわち、キャップ分材の入射面に拡散部１４を設ける構成としている。
【０１９１】
入射反射面１７を備える構成であれば、点状光源２を挟み互いに対向する反射面１７を追加することにより、第一反射面１１ＧＡ（１１ＧＡａ、１１ＧＡｂ）や第二反射面１２ＧＡの上下の幅が短くても、光源から射出部に至る光路長を長くとることができる。すなわち、棚板照明装置１ＧＡの上下幅が小さくても、隣り合う点状光源２が出射する光を均一に混ざり合わせる光路長を確保でき、上側照明と下側照明の両方共に、点状光源２の配列方向のムラのない良好な照明装置を実現できる。
【０１９２】
すなわち、この棚板照明装置１ＧＡは、点状光源２からの光を分岐部１６に導く入射導光経路１０ＧＡｃを設け、該入射導光経路１０ＧＡｃの点状光源２を挟む両側に第三反射面（上側入射反射面１７ａ）と第四反射面（下側入射反射面１７ｂ）を設けた構成である。この構成であれば、分岐部１６に至る光路長を取ることで、棚板の上下幅に相当する光学経路の幅を小さくでき、さらに、照明装置のコンパクト化を図ることが可能となって好ましい。
【０１９３】
次に、図２０Ｄを用いて第七実施形態の棚板照明装置１ＨＡについて説明する。
【０１９４】
この棚板照明装置１ＨＡは、前述した棚板照明装置１ＧＡと同様に、上下に分岐した第一導光経路１０ＨＡａと第二導光経路１０ＨＡｂを有し、光束分岐部１６を有し、点状光源２を挟む上下両側に入射反射面を有する。ただし、下側照明に用いるキャップ部材３ＨＡｂを、前述した第三の面を有する台形形状とした点が異なる。また、上下方向の導光経路を形成する第一反射面１１ＨＡ（１１ＨＡａ、１１ＨＡｂ）と第二反射面１２ＨＡに拡散部１４を設けて拡散反射面とした点も異なる。
【０１９５】
例えば、上側照明に用いるキャップ部材３ＨＡａを、平行平板からなる、もしくは、わずかに傾斜した楔形状からなる透光性部材から構成して、真上から１５°〜２０°棚板の商品側に傾いた方向に輝度ピークを有するように配光制御する。また、下側照明は、第三の面を有する第二のキャップ部材３ＨＡｂを用いて、真下から棚板方向に６０°傾いた方向に輝度ピークを有するように配光制御する。
【０１９６】
また、第一反射面１１ＨＡ（第一上部反射面１１ＨＡａと第一下部反射面１１ＨＡｂ）と第二反射面１２ＨＡを、例えば、金属面に白塗装した拡散反射面として、所定の角度で散乱する散乱特性（例えば、σ１０°のガウス散乱特性）を備えた反射面としている。
【０１９７】
このような構成であれば、上側照明は、商品のフェイス面を広範囲に亘って均一に良好に照明できる。また、下側照明は、棚板の奥まで広範囲に照明できる。従って、本実施形態に係る棚板照明装置１ＨＡを取り付けた棚板を複数段設置することにより、全ての棚において、棚先端に陳列された商品のフェイス面と、棚の奥まで並べられた商品とを共に良好に照明することができ、観察者（お客）は、商品面上に影のない状態で、良好に商品を観察し選択することができる。
【０１９８】
キャップ部材（３ＡＡ〜３ＨＡ）は前述したように屈折率１以上の透明体で構成される。本実施形態では、屈折率が約１．５のＰＭＭＡ製としたが、これ以外の材質からなる透光性部材でもよく、用途に応じて、ガラス材料、ＰＭＭＡ以外のアクリルやポリカなどの透明樹脂を用いてもよい。
【０１９９】
また、点状光源２が出射する光を所定の角度範囲に散乱する拡散部１４は、例えば、キャップ部材の射出面に設けることができる。この構成であれば、光源から最も離れた面を拡散面化することで、光源と拡散面の光路長を最大に確保でき、離散的に配設された点状光源を用いても、小型でありながら、輝度の均一な照明装置を実現することができる。
【０２００】
また、キャップ部材の入射面に拡散部１４を設けてもよく、この構成であれば、外面である射出面は平面とし、入射面を拡散面化することで、外面は平面で汚れが付き難く掃除も容易となる。また、射出面近傍に配置される入射面を拡散面とすることで、離散的に配設された点状光源を用いても、小型でありながら、輝度の均一な照明装置を実現することができる。
【０２０１】
また、導光経路を形成する第一反射面や第二反射面を拡散面として拡散部１４を形成してもよく、この構成であれば、導光しながら拡散することで、点状光源の配列方向の輝度ムラさせた後、キャップ部材の各面における屈折などにより配光制御し、点状光源の配列方向の輝度が均一で、商品を効率的に照明可能な照明装置を実現することができる。
【０２０２】
また、キャップ部材の第三の面を拡散面として拡散部１４を設けてもよく、この構成であれば、入射面と射出面を平面とすることで、照明光を効率的に第三の面まで導いた後、輝度が均一な照明光として、配光制御できる照明装置を実現することができる。
【０２０３】
また、これらの拡散部１４が備える拡散特性は、点状光源配列方向の拡散度が、点状光源配列方向と直交する方向の拡散度に比べて大きいことが好ましい。このような構成であれば、複数の点状光源を配設した方向に大きく拡散し、離散的に配設された点状光源を用いても、離散的な配置に起因する輝度ムラを低減して輝度の均一な照明装置を実現することができる。
【０２０４】
また、このような拡散特性は、点状光源配列方向に、所定角度範囲の拡散度を有することが好ましい。このような構成であれば、点状光源配列方向と直交する方向に対する配光制御の効果を維持した状態で、複数の点状光源を配設した方向に大きく拡散し、離散的に配設された点状光源を用いても、離散的な配置に起因する輝度ムラを低減して輝度の均一な照明装置を実現することができる。
【０２０５】
次に、前述した棚板照明装置１ＡＡ〜１ＨＡを備えた棚板ユニットについて図２１および図２２を用いて説明する。
【０２０６】
図２１には、棚板５の上部を照明する棚板照明装置（例えば１ＡＡ）を備えた棚板ユニット５０を示している。この棚板照明装置１ＡＡは、棚板５の前端５ａと該棚板に取り付けるプライスレール４との間に設けられている。
【０２０７】
このように、棚板５に棚板照明装置１ＡＡを取り付けて一体化したユニット構成とすることで、棚板をショーケース本体に設置した後、棚板照明装置を取り付ける手間を省くことができる。本実施形態に係る棚板照明装置１ＡＡは厚み、上下幅共に小さく、軽量に構成することが可能であるため、予め、棚板と一体化した棚板ユニット５０として取り扱いが容易なって好ましい。
【０２０８】
点状光源２は、一枚の基板２１上に略一列に等間隔で配置されており、同じ基板２１上に駆動回路用の電装部品も設置されている。また、この電装部品に電源供給用の配線が接続されている。この配線は、例えば、棚板本体取付け部まで棚板裏面側に固定され、棚板取付け部において、本体電源供給用の配線とコネクタを介して接続される。
【０２０９】
また、図２２に示すように、棚板の上下を同時に照明する棚板照明装置（例えば１ＨＡ）を備えた棚板ユニット５０Ａであれば、商品Ｍ１のフェイス面と上部を同時に照明して観察容易となるので、棚板５に陳列された商品Ｍ１を高品位に照明できて好ましい。
【０２１０】
特に、前述した棚板照明装置１ＨＡを用いると、下側照明の照明光の配光中心を棚板奥側に傾けることができ、棚の奥まで良好に照明できるので、棚板先端側の商品が売れた後も、奥側の商品も良好に観察できて好ましい。
【０２１１】
上記したように、棚板照明装置（１ＡＡ〜１ＨＡ）を先端部に設けた棚板ユニット５０、５０Ａであれば、棚板に陳列された商品を高品位に照明できる。また、このような棚板ユニットを複数段備えるショーケースであれば、少ない点状光源で棚板の商品を効率的に高品位に照明でき、観察者が商品を観察するときの眩しさを低減した棚板照明装置を装着した棚板ユニットを用いることで、棚板上に陳列された商品を、均一な輝度で照明可能なショーケースを得ることができて好ましい。
【０２１２】
例えば、図２３に示すように、棚板５と棚板照明装置（例えば１ＨＡ）が一体化された棚板ユニット５０Ａを複数段備えた構成のショーケースＳＣとする。
【０２１３】
棚板照明装置１ＡＡ〜１ＨＡ（例えば１ＨＡ）はコンパクトな構成であって上下幅も小さくできるので、観察者（商品の購入者）は、照明装置に邪魔されることなく商品の前面を良好に観察できる。また、背の高い商品であっても、棚板先端から上方に向かって照明する照明装置を用いることにより、商品のフェイス面、特に、下側まで良好に観察できる。さらに、棚板先端から上下に向かって照明する照明装置を用いることにより、商品のフェイス面および上側を良好に観察できる。
【０２１４】
特に、前述した棚板照明装置１ＨＡを用いると、棚の奥まで良好に照明できるので、背の高い商品を陳列していても、奥側の商品を良好に観察できて好ましい。
【０２１５】
上側照明は、射出面近くに被照明物体の面が配置されることが多いため、広範囲に照明することが求められる。一方、下側照明は、棚板照明装置が取り付けられる棚板の一段下の棚板に載置された物体の上部を照明するため、被照明物体と距離があることが多い。そのために、下側照明の配光中心を後ろ側に傾けることにより、棚板の奥まで並べられた物体を上側から照明することが可能となる。すなわち、物体表面を正面から照明すると同時に、上方から奥の方まで照明でき、棚に載置された商品などを容易に観察できる。
【０２１６】
導光経路を形成する反射面や入射面や射出面のいずれかを拡散面化して所定角度範囲に拡散する拡散部１４を設けることにより、複数の点状光源（ＬＥＤ光源）の色ムラや照度ムラを改善し、より均一な高品位な棚板照明装置を実現することができる。
【０２１７】
すなわち、所定の面に所定の拡散特性を有する拡散部１４を設けることで、所定の角度範囲に拡散され反射された光を射出面に導き、色ムラや照度ムラを低減した照明光を射出することが可能となる。このように、所定の部位に、入射した光を所定角度範囲に拡散しながら射出する拡散部１４を設けていることが好ましい。このような構成であれば、所定角度範囲に拡散された光が射出面から射出されるので、照度ムラや色ムラを改善した照明光を射出することができる。
【０２１８】
上記したように本実施形態に係る棚板照明装置は、空気層を導光経路としているので、大きな配光角を有し、短い距離で隣り合う点状光源からの光が混ざり合うので好ましい。また、隣り合う点状光源からの光束が、キャップ部材の射出面の位置で棚板の長手方向に対して、互いに重なり合うために、長手方向に対して均一な照明が可能となる。
【０２１９】
また、点状光源から射出部に至る光路長が、配置ピッチＰで配設される点状光源から出射する光の強度が１／２となる指向角半値幅に応じた長さ以上とされるので、隣り合う点状光源からの強度１／２の光が混ざり合った光となって、光の強度が略同一レベルとなる照明光を射出部から射出することができる。
【０２２０】
そのために、コンパクト化が可能で所定範囲を効果的に照明可能な棚板照明装置を得ることができて好ましい。また、棚板と棚板照明鼠位置を一体化した構成の棚板ユニットであれば、取り扱いが容易となって好ましい。また、この棚板ユニットを上下に複数段設けたショーケースであれば、棚板上に陳列された商品を棚板の上下から均一に照明可能となって好ましい。
【０２２１】
また、点状光源としてＬＥＤ光源を用いているので、高照度で、消費電力が小さく、発熱も小さいＬＥＤ光源を用いて、高効率の棚板照明装置を実現することができる。
【０２２２】
上記したように、本発明に係る棚板照明措置は、中空の導光経路を介して導光し、所定の方向に輝度ピークを有する長手方向に均一な照明光を射出するので、小型軽量でありながら、棚上の商品を効率的に照明できると同時に、観察者が眩しくないショーケースに最適な照明装置を提供することができる。
【産業上の利用可能性】
【０２２３】
本発明に係る照明装置および棚板照明装置は、上下に複数の棚板を備える多段式のショーケースに用いる照明装置に好適に適用することができる。
【符号の説明】
【０２２４】
１Ａ〜１Ｇ    照明装置
１ＡＡ〜１ＨＡ    棚板照明装置
２    点状光源（ＬＥＤ光源）
３、３Ａ〜３Ｃ  導光素子
３ＡＡ〜３ＨＡｂ  キャップ部材
５    棚板
１０Ａ〜１０Ｇ  導光経路
１１、１１Ｂ〜１１Ｇ、１１ＡＡ〜１１ＨＡｂ  第一反射面
１２、１２Ｂ〜１２Ｇ、１２ＡＡ〜１２ＨＡ  第二反射面
１３、１３Ｂ、１３Ｃ  射出面
１４    拡散部、異方性拡散部
１５    分岐反射面
１６    光束分岐部
１７    入射反射面（点状光源を挟む上下の）
３０    射出部
３１    入射面
３２    射出面
３３    第一反射面
３３ＤＡ    第三の面
３４    第二反射面
５０、５０Ａ  棚板ユニット
Ｒ１〜Ｒ４  輝度ピーク
Ｒ、Ｒａ、Ｒｂ  輝度
ＳＣ    ショーケース
【図１】
2012128088.tif 000003
【図３】
2012128088.tif 000004
【図４】
2012128088.tif 000005
【図５】
2012128088.tif 000006
【図６】
2012128088.tif 000007
【図７】
2012128088.tif 000008
【図８】
2012128088.tif 000009
【図９】
2012128088.tif 000010
【図１０】
2012128088.tif 000011
【図１１】
2012128088.tif 000012
【図１２】
2012128088.tif 000013
【図１３】
2012128088.tif 000014
【図１４】
2012128088.tif 000015
【図１５】
2012128088.tif 000016
【図１６】
2012128088.tif 000017
【図１７】
2012128088.tif 000018
【図１８】
2012128088.tif 000019
【図１９】
2012128088.tif 000020
【図２０Ａ】
2012128088.tif 000021
【図２０Ｂ】
2012128088.tif 000022
【図２０Ｃ】
2012128088.tif 000023
【図２０Ｄ】
2012128088.tif 000024
【図２１】
2012128088.tif 000025
【図２２】
2012128088.tif 000026
【図２３】
2012128088.tif 000027
【図２】
2012128088.tif 000028
【国際調査報告】
2012128088.tif 000029
2012128088.tif 000030